(57)【要約】      （修正有）【課題】腰が十分に座っていない生後間もない幼児を安全に対面抱っこすることができるなどの利点を備えた上で、対面抱っこされる幼児に圧迫感や違和感などを与えることなく、しかも、使用者に対しても快適に使用されるベビーキャリアを提供する。【解決手段】肩掛けバンド４の開放する両端部が取り付けられるバック本体１の両側上縁に、下向きで二又に広がる受け辺部３−２を有する連結部３をそれぞれ備え、この両側の連結部３の上部合流部３−１から裏地２に向けて延びる受け辺部３−２を通して肩掛けバンド４の両端部を裏地２にそれぞれ取り付ける。また、バック本体１の底部には、尻受け部８や腰バンド９を収納するための収納部１１を備えたことにある。【選択図】図１
0003131283.tif 000002
【実用新案登録請求の範囲】
【請求項１】
使用者が肩掛けするための一本の肩掛けバンドを備えるショルダバック本体の裏側に裏地を備え、
かつ、前記バック本体を使用者の体の正面に位置させた状態において、使用者の下腹部に位置する前記裏地を、前記バック本体の底部から延設させることによって幼児の尻を受けるための尻受け部を備え、この尻受け部には使用者の腰に装着するための腰バンドを備えて構成されているベビーキャリアであって、
前記肩掛けバンドの解放する両端部が取り付けられる前記バック本体の両側上縁に、この上縁に向けた下向きで、かつ、前記裏地および前記バック本体の表裏幅方向に広がるように連結部をそれぞれ備えて、
この両側の連結部を介して前記肩掛けバンドの解放する両端部側を前記裏地にわたりそれぞれ取り付けるようにしたことを特徴とするベビーキャリア。
【請求項２】
前記連結部が、適度の柔軟性を有する素材によって前記バック本体の前記両側上縁に向けた下向きで二又に拡がる略逆向きＶ字形状に形成されていることを特徴とする請求項１に記載のベビーキャリア。
【請求項３】
前記連結部が、上部合流部から略逆向きＶ字形状に広がる両受け辺部を備え、この両受け辺部のうち、一方側の受け辺部を通して前記肩掛けベルトの両端部を前記裏地にわたりそれぞれ取り付けるようにしたことを特徴とする請求項１または請求項２に記載のベビーキャリア。
【請求項４】
前記尻受け部と、前記腰バンドとを収納するための収納部が、前記バック本体の底部に備えられていることを特徴とする請求項１から請求項３のいずれか１項に記載のベビーキャリア。
【考案の詳細な説明】
【技術分野】
【０００１】
本考案は、乳幼児などを対面抱っこ（前抱っこ）する子守り機能に加えて、小物やミルク瓶などを収納するバック機能をも併せ持ったベビーキャリアに係り、特に使用者が肩掛けするための一本の肩掛けバンドと、腰に装着するための腰バンドとを備えているショルダ式のベビーキャリアに関する。
【背景技術】
【０００２】
従来から、バック機能を兼ね備えるベビーキャリアとしては種々の態様の商品が提案されている（特許文献１、特許文献２及び特許文献３）。
【０００３】
即ち、特許文献１には、使用者の腰に装着される腰ベルトを備え、幼児の尻部を受けるウエストバック本体と、このバック本体に連結ベルトを介して連結されて使用者の肩や首などに掛けられる吊りバンドと、該吊りバンドの下部に備えられて幼児の腰部を外側から支える腰当てとで構成されたベビーキャリア兼用ウエストバックが開示されている。
【０００４】
また、特許文献２及び特許文献３には、使用者の腰に装着される腰ベルト、幼児の尻部を受ける座面を形成するものであって、前記腰ベルトに取付けられ且つ使用者の下腹部から前方に張り出すように形成された保持部を備え、該保持部が内部に小物などの収納空間を備えると共に、前記座面となる同保持部の上面前部から使用者の肩に掛けられるサポート用の吊りバンドを備え、更に保持部の上面前部から立ち上げる幼児の腰部を外側から支える腰当てパットを備えたウエストバックのような態様で着用することができる乳幼児保持具が開示されている。
【特許文献１】特許第３０２９５６７号
【特許文献２】特許第３３９６５８６号
【特許文献３】特開平１０−１６５２６７号
【考案の開示】
【考案が解決しようとする課題】
【０００５】
しかしながら、前記した特許文献１、特許文献２及び特許文献３に開示されているベビーキャリアは、いずれもウエストバック態様である。
従って、ベビーキャリアとしての子守り機能を備えるために、使用者の肩に掛けられる肩掛けバンド、そして、幼児の腰部を外側から保持するための腰当てなどをバックに取り付ける必要があるために、当然のことながら製作が面倒となるなどから、手間が掛かり、製造コストが高くなる傾向にあった。
【０００６】
また、ウエストバック本体の上面（座面）に幼児を対面状に座らせ、幼児の腰部などを腰当てと補助ベルトのみで保持すると言った保持構造になることから、例えば、腰が十分に座っていない生後間もない幼児を抱っこする場合などには、親などの使用者は不安を覚え、安心して安全に、かつ、快適に使用することができないと言った問題がある。換言すれば、腰が十分に坐っている幼児以上にその使用が限られてしまうものであった。
【０００７】
そこで、本出願人には、これらに問題点を打開し、尻から背中までをすっぽりと包み込むように幼児を安全に対面抱っこ（前抱っこ）することができ、しかも、バック形態として使用するときと外観的には全く変わがない形態で幼児を対面抱っこすることができるように改良されたショルダ式のベビーキャリアを先に提案している（実用新案登録第３１０７６４３号公報参照）。
【０００８】
本考案は、本出願人が先に提案しているショルダ式のベビーキャリアが有している腰が十分に座っていない生後間もない幼児を安全に対面抱っこすることができるなどの利点を備えた上で、対面抱っこされる幼児に圧迫感や違和感などを与えることなく、しかも、使用者に対しても快適に使用されるようにさらに改良されたベビーキャリアを提供することを目的とする。
また、他の目的としては、ショルダバックとして使用するときに、不用となる尻受け部や腰バンドを、バック本体の収納空間を狭めるなどのことがないように収納しておくことができるよう改良されたベビーキャリアを提供することにある。
【課題を解決するための手段】
【０００９】
前記課題を解決するために、本考案では、使用者が肩掛けするための一本の肩掛けバンドを備えるショルダバック本体の裏側に裏地を備え、かつ、前記バック本体を使用者の体の正面に位置させた状態において、使用者の下腹部に位置する前記裏地を、前記バック本体の底部から延設させることによって幼児の尻を受けるための尻受け部を備え、該尻受け部には使用者の腰に装着するための腰バンドを備えて構成されているベビーキャリアであって、
前記肩掛けバンドの解放する両端部が取り付けられる前記バック本体の両側上縁に、この上縁に向けた下向きで、かつ、前記バック本体の表裏幅方向に広がる連結部をそれぞれ備え、この両側の連結部を介して前記肩掛けバンドの解放する両端部を前記裏地にわたりそれぞれ取り付けるようにしたことを特徴とする（請求項１）。
ここで、前記連結部は、適度の柔軟性を有する素材によって前記バック本体の前記両側上縁に向けた下向きで二又に拡がる略逆向きＶ字形状に形成されていることが好適なものとなる（請求項２）。そして、連結部の上部合流部から略逆向きＶ字形状に広がる両受け辺部のうち、一方側の受け辺部を通して前記肩掛けベルトの両端部をそれぞれ前記裏地にわたり取り付けるようにすることが好適なものとなる（請求項３）。
また、前記裏地の素材としては、例えば、通気性に優れたディンプル生地などが好適である。
また、幼児を対面抱っこするキャリアとして使用するときに、幼児の上半身に巻き止めるための補助ベルトを前記裏地に備えることが好適なものとなる。これにより、幼児の上半身を包み込むように保持する裏地と、補助ベルトとによって幼児をより安全に保持することができる。
【００１０】
請求項１によれば、肩掛けバンドを右肩からまたは左肩からタスキ状に掛けた状態でショルダバック本体を体の正面に位置させ、バック本体の底部から延設させた尻受け部の腰バンドを腰に巻きつけるように装着する。この状態で、幼児を裏地と使用者との間に入れて腰受け部に座らせ、補助ベルトを幼児の上半身に巻きとめるように取り付ける。
これにより、幼児は、肩掛けバンドの両端が取り付けられるバック本体の両側上縁から両腕を外に出した状態で、背中全体がバック本体の裏面全体に備えられている裏地によってすっぱりと包み込まれるように支えられて対面抱っこされる。このとき、幼児の両脇（脇の下）は、肩掛けバンドの開放する両端と、バック本体の両側上縁とを連結する下向きに広がる連結部によって受け支えられる。つまり、幼児の両脇（脇の下など）は面によって受け支えられることで、幼児の両脇に接触による圧迫感や違和感を与えることはなくなる。
また、請求項２のように、連結部が柔軟性を有する素材によって形成されていることで、幼児の両脇に与える圧迫感や違和感などをより効果的に解消することができる。
【００１１】
また、本考案では、前記尻受け部と、前記腰バンドとを収納するための収納部が、前記バック本体の底部に備えられていることを特徴とする（請求項４）。
【００１２】
請求項３によれば、キャリアバックとして使用するときに不要となる。尻受け部と腰バンドとをバック本体の底部に設けられている収納部に収納しておくことができる。これにより、バンク本体の収納空間が尻受け部の収納などによる膨らみによって狭くなることがなくなる。
【考案の効果】
【００１３】
本考案のベビーキャリアは、以上のように構成されていることで、幼児の両腕を、肩掛けバンドの両端が取り付けられるバック本体の両側上縁から外に出した状態で、幼児の背中全体、そして両脇の上半身を裏地によってすっぱりと包み込むように支える幼児の対面抱っこが可能である。つまり、腰が十分に座っていない生後間もない幼児を安全に対面抱っこすることができるという機能を備えた上で、幼児の両脇（脇の下など）に接触による圧迫感や違和感などを与えることはなくなる。
これにより、対面抱っこされた幼児が、比較的に固い素材から形成されている肩掛けベルトの特にベルト縁との接触によって圧迫（圧接）されて痛がることなどが解消されるものである。また、肩掛けベルトのベルト縁などが使用者の脇腹などに接触するなどによる違和感や圧迫感などを使用者に与えることも解消されるものである。
【００１４】
また、本考案のベビーキャリアによれば、前記した作用効果に加えて、ショルダバックとして使用するときに不要となる尻受け部や腰バンドは、バック本体の底部に設けられている収納部に収納しておくことができる。つまり、尻受け部や腰バンドの収納による膨らみなどによってバック本体の収納空間（容量）が狭くなることもなくなる。
【考案を実施するための最良の形態】
【００１５】
以下、本考案の実施形態について、適宜図面を参照しながら詳細に説明する。
図１は、本実施形態に係るキャリア式のベビーキャリアを展開して示す背面図であり、図２は、同ベビーキャリアを正面から見たときの状態を示す斜視図であり、図３は、要部を拡大して示す斜視図である。また、図４及び図５は、幼児を対面抱っこしたときのキャリアとしての使用状態を示す斜視図である。
【００１６】
ベビーキャリアＡは、図１示すように、ショルダバック本体（以後、単にバック本体と称する）１の裏側に、通気性に優れた素材からなる裏地２を備えている。
また、ベビーキャリアＡは、バック本体１の両側上縁および前記裏地２にわたるように、後記する連結部３を介してそれぞれ取り付けられる肩掛けバンド４を備えている。
【００１７】
バック本体１は、柔軟性を有する適宜の素材から形成され、ファスナ５により開閉される開口部を上部に備えている。
また、バック本体１は、図１に示すように、開口部の両側上縁に連結部３をそれぞれ備えている。これにより、肩掛けバンド４の開放する両端部側を、両側の連結部３の後記する上部合流部３−１から略逆向きＶ字形状に広がる両受け辺部３−２の一方側を通して裏地２にそれぞれ直接取り付けるようにしている。
また、バック本体１は、図１に示すように、ファスナ６により開閉される外ポケット７を表面側に備えている。
【００１８】
連結部３は、バック本体１を形成する柔軟な素材などを用いてバック本体１から上方に向けて延設されるなどによって、バック本体１の両側上縁にそれぞれ備えられるように形成されている。
そして、この連結部３は、図１及び図２に示すように、肩掛けバンド４の開放する両端部側をそれぞれ挿通させる上部合流部３−１からバック本体１の表裏幅方向で、なおかつ、裏地２に向けて二又に分かれて下向きに拡がる受け辺部３−２を有する略逆向きＶ字形状に形成されている。
【００１９】
これにより、図１に示すように、裏地２に縫着などにより直接取り付けられる肩掛けバンド４の開放する両端部側は、連結部３の上部合流部３−１から裏地２に向けて延びる一方の受け辺部３−２内を通されて裏地２に取り付けられる（図４の断面図参照）。
つまり、裏地１に取り付けられる肩掛けバンド４の両端部側は、柔軟な素材などからなる連結部３の上部合流部３−１から裏地２に向けて延びる受け辺部３−１によって包み込まれることで、幼児ｂの脇の下などが接触しても圧迫感や違和感などを受けないようにしている。
そして、図４及び図５に示すように、対面抱っこの状態で、肩掛けバンド４の開放する端部側に幼児の重みなどによる捩れは起こらない。そして、外に出された幼児ｂの腕、特に脇の下などは、図４の断面図において示すように、柔軟な素材からなる連結部３の下向きに分かれる両受け辺部３−２によって受け支えられることで、接触による圧迫感や違和感などを幼児ｂに与えない。
【００２０】
なお、図示を省略しているが、肩掛けバンド４が通る連結部２の受け辺部３−２に接触による圧迫感や違和感などをより一側効果的に緩和するために、柔らかな繊維などからなる緩衝材を内在させることができる。
【００２１】
肩掛けバンド４は、合成繊維などの丈夫な素材によって帯板状に編み込み形成されている。そして、肩掛けバンド４は、使用者の体格に合わせて長さを調節自在とするループ状に形成されている。
【００２２】
裏地２は、幼児ｂの尻から背中全体をすっぽりと包み込むように幼児ｂを保持するためのキャリア本体であって、通気性に優れたディンプル生地などの素材から形成されている。
この裏地２は、図１に示すように、バック本体１の裏面全体を覆うように備えられて、バック本体１の裏面周囲縁に沿って縫着されることにより、バック本体１の裏面全体に取り付けられるようにしている。
【００２３】
そして、使用者Ｂの下腹部に位置するバック本体１の底部から、裏地２を一体に延設される、または、縫着などに裏地２に取り付けられる尻受け部８が備えられている。
【００２４】
尻受け部８は、使用者Ｂの下腹部に位置する裏地２を、バック本体１の底部から一体に延設させることにより、または、使用者Ｂの下腹部に位置するバック本体１の内部底に内張りされている内布地１２に逢着するなどによって幼児ｂの尻を受ける程度の大きさにて備えられる。
そして、この尻受け部８には、図１、図２及び後記する図６に示すように、腰バンド９が取り付けられている。この腰バンド９を使用者Ｂの腰に装着することにより、尻受け部８の突端側を使用者Ｂの腰または下腹部で支えることができるようにしている（図４及び図５参照）。
【００２５】
腰バンド９は、肩掛けバンド４と同じ素材によって、肩掛けバンド４よりも狭いバンド幅を有するループ状に形成されている。
この腰バンド９は、図１及び図２に示すように、解放する両端側が尻受け部８の突端側における両側コーナー部位に縫着などによりそれぞれ取り付けられることによって、使用者Ｂの腰または下腹部にループ状に装着することができるように形成されている。
【００２６】
つまり、腰バンド９は、長さ方向の途中部分において、バックルなどからなる雄雌一対の連結具１０により分離係脱可能に形成されている。これにより、腰バンド９は、使用者Ｂが腰または下腹部に装着するときや腰から取り外すときにバンドの途中において分離することができるようになっている。
また、腰バンド９は、一方の連結具１０に対してバンドの長さを任意に調節することができるように連結されている。
【００２７】
また、本実施形態では、図１に示すように、肩掛けベルト４の解放する両端部側が連結部３の一方の受け辺部３−２によって包み込まれた状態で取り付けられる裏地３に、幼児ｂの上半身を巻き止めるための補助ベルト１４が備えられている。
これにより、補助ベルト１４と幼児ｂの上半身（背中）を包み込むように保持する裏地２とによって、幼児ｂをより一層安全に保持することができるようにしている。
この場合、補助ベルト１４の長さ方向の途中部位においてはバックルなどからなる雄雌一対の連結具によって分離係脱可能に形成する。そして、一方の連結具に対してベルト長さが任意に調節されるように形成する。すなわち、幼児ｂの体格に合せて補助ベルト１４の長さを自在に調節することができるようにすることが好適なものとなる。
【００２８】
図６は、本実施形態に係るキャリア式のベビーキャリアを下から見たときの状態を示す斜視図であり、図７は、図６の一部を示す断面図であり、図８は、尻受け部をバック本体の収納部に収納するときの状態を示す斜視図である。
また、本実施形態に係るベビーキャリアは、図６に示すように、バック本体１の底部に収納部１１を備えている。この収納部１１は、ベビーキャリアＡをショルダバックとして使用するときに、不要となる尻受け部８を、図８に示すように、丸めたり、折り畳むなどによって、腰バンド９とともに収納するためのものである。
収納部１１は、尻受け部８を除く裏地２をバック本体１の底面周囲縁に沿って逢着することよって、バック本体１の内部底に内張りされている内布地１２と裏地２との間において形成される（図７参照）。
【００２９】
そして、図７の（ｂ）及び図８の（ｃ）に示すように、収納部１１の開口部の内側（バック本体１の裏側）と、この内側と対面する尻受け部８の折返し部近傍とには収納部１１の開口部を開閉自在に閉じるための閉じ手段を備えている。
これにより、尻受け部８を腰バント９とともに収納部１１に収納させた状態において、尻受け部８が収納部１１から不用意に飛び出したりしないようにしている。
【００３０】
閉じ手段としては、脱着操作性や幼児ｂに対して接触による違和感などを与えないように考慮するならば、雄雌からなる係脱自在なベルベットファスナ（面ファスナ）１３を挙げることができる。
つまり、図７に示すように、ベルベットファスナ１３の内、雄側ファスナ１３−１を収納部１１の開口縁内側（バック本体１の裏側）に取付け、雌側ファスナ１３−２を前記開口縁内側と対面する内布地１２に取り付ける。
このように、雌側ファスナ１３−２を尻受け部８の折り返し部分に取り付けることにより、尻受け部８を収納部１１から引き出すキャリア形態での使用において、尻受け部８は幼児ｂの座面となるため、幼児ｂの衣服などを接触によって傷めることがないことから好適なものとなる。
【００３１】
なお、雌側ファスナ１３−２が幼児ｂの尻などに直接触れない（当らない）ように、この雌側ファスナ１３−２を覆うように図示省略の被覆体などを尻受け部８にフラップ状に備えるなどの工夫を施すこともできる。
【００３２】
また、尻受け部８を使用するキャリア形態において、ベルベットファスナ１３の雄側ファスナ１３ー１との係脱自在な係合によってバック本体１の底部側を裏地２に係脱自在に連結するための連結手段を備えている。
【００３３】
連結手段は、尻受け部８が収納部９から引き出されるキャリア形態において、バック本体１が裏地２から離れると言ったバタツキが生じたりしないように、バック本体１の底部側を裏地２に係脱自在に連結する役目を成す。換言すれば、収納部１１のもう一方の開口縁の内側（裏地２の表面側）にバック本体１の底部側を連結する。
【００３４】
この連結手段は、図６及び図７に示すように、前記したベルベットファスナ１２の雌側ファスナ１３−２から形成されて尻受け部８の折り返し近傍に取り付けられている。これにより、裏地２に取り付けられている雄側ファスナ１３−１との係合により、バック本体１の底部側を裏地２に連結保持するようにしている（図７（ｂ）の二点鎖線の状態参照）。
【００３５】
このように、本実施形態に係るベビーキャリアＡの尻受け部８は、図１、図２及び図６、図７の（ａ）に示すように、キャリア形態ではバック本体１の底部に備えられている収納部１１から引き出される一方で、図７の（ｂ）及び図８の（ｃ）に示すように、バック形態においては収納部１１に折り返し収納されるようになっている。
【００３６】
次に、このように構成されている本実施形態に係るベビーキャリアＡの使用法について簡単に説明する。ここでは、図４、図５及び図７、図８を適宜参照しながら説明する。
図４及び図５に示すように、肩掛けバンド４をタスキ状に掛けた状態でバック本体１を体の正面又はやや横に位置させ、バック本体１の収納部１１（底部）から引き出した尻受け部８の腰バンド９を使用者Ｂの腰に装着する。この状態で、幼児ｂを裏地２と使用者Ｂとの間に入れて尻受け部８に座らせることによって、幼児ｂの背中全体、そして両脇の上半身が裏地２によってすっぱりと包み込まれるように支えられるキャリア保持形態となる。
【００３７】
これにより、親などの使用者Ｂに不安感を与えることなく、安心して安全に腰が十分に座っていない生後間もない幼児を対面抱っこ（前抱っこ）することができるものである。このとき、バック本体１の両側上縁から外に出されている幼児ｂの両腕（両脇の下など）は、バック本体１と肩掛けバンド４とを連結する連結部３の二又に分かれている両受け辺部３−２によって受け支えられることによって（図４参照）、接触による圧迫感や違和感などを幼児ｂに与えない。
【００３８】
一方、幼児ｂを抱かずに、バック本体１を使用者Ｂの正面や背中などに回すことで、そのままショルダバックとしての使用形態になる。このように、ショルダバックとして使用するときに不要となる尻受け部８や腰バンド９は、図７及び図８に示すように、バック本体１の底部に備えられている収納部１１に収納しておくことができる。つまり、尻受け部８や腰バンド９の収納による膨らみなどによってバック本体１の収納空間（容量）が狭くなるなどのおそれはなくなる。
【００３９】
なお、本考案の実施形態の具体的な構成は、前記した実施形態に限られるものではなく、請求項１から請求項３に記載の本考案の要旨を逸脱しない範囲で設計変更などがあっても本考案に含まれるものである。
例えば、下向きで二又に拡がる略逆向きＶ字形状に形成される連結部３を、平面的に形成することができる。つまり、バック本体１の内側に向けて開放する両受け辺部３−２を備えない略平面的になるように連結部３を形成することができる。
【００４０】
また、肩掛けバンド４の解放する両端部側を、連結部３の上部合流部３−１から受け辺部３−２を通してバック本体１の裏面に縫着などにより備えられる裏地２に直接取り付けずに、連結部３の上部合流部３−１に挿入させて、該上部合流部３−１に縫着などにより取り付けるようにすることもできる。つまり、肩掛けバンド４の両端部側を、連結部３を介してバック本体１の両側上縁に取り付けるようにすることもできる。
【図面の簡単な説明】
【００４１】
【図１】本実施形態に係るキャリア式のベビーキャリアを展開して示す背面図である。
【図２】同ベビーキャリアを正面から見たときの状態を示す斜視図である。
【図３】同ベビーキャリアの要部を拡大して示す斜視図である。
【図４】幼児を対面抱っこしたときのキャリアとしての使用状態を示す斜視図である。
【図５】幼児を対面抱っこしたときのキャリアとしての使用状態を示す斜視図である。
【図６】本実施形態に係るキャリア式のベビーキャリアを下から見たときの状態を示す斜視図である。
【図７】図６のＶＩＩ−ＶＩＩ線拡大断面図で、（ａ）は尻受け部を収納部から引き出したキャリア形態を示す、（ｂ）は尻受け部を収納部に折り返し収納させたバック形態を示す
【図８】尻受け部をバック本体の収納部に収納するときの状態を示す斜視図であり、（ａ）は、腰バンドを尻受け部の上に載せて尻受け部を突端側から折り返す状態を示し、（ｂ）は、尻受け部を収納部に向けて丸めている状態を示し、（ｃ）は、尻受け部を収納部に収納させた状態を示す。
【符号の説明】
【００４２】
Ａ      ベビーキャリア
１      バック本体（キャリア本体）
２      裏地
３      連結部
３−１  上部合流部
３−２  受け辺部
４      肩掛けバンド
８      尻受け部
９      腰バンド
１１    収納部
１４    補助ベルト
【図１】
0003131283.tif 000003
【図２】
0003131283.tif 000004
【図３】
0003131283.tif 000005
【図４】
0003131283.tif 000006
【図５】
0003131283.tif 000007
【図６】
0003131283.tif 000008
【図７】
0003131283.tif 000009
【図８】
0003131283.tif 000010